(57)【要約】【課題】  エンジンの自動停止や再始動の遅れを抑制でき、またショックなどの違和感を生じさせない制御装置を提供する。【解決手段】エンジンを自動的に停止させる条件が成立した場合に、発進クラッチの伝達トルク容量を低下させる低下指示手段（ステップＳ１０９）と、発進クラッチの伝達トルク容量を低下させる制御の過程で点火時期を遅角させてエンジンの出力トルクを低下させた後、エンジンの自立回転を停止させる停止手段と、発進クラッチが開放する以前にエンジンを再始動させる条件が成立した場合に、発進クラッチが開放状態となるように伝達トルク容量の低下速度を増大させる急開放指示手段と、エンジンを再始動させるべく回転させるスタータの起動を遅延させる制御を、記急開放指示手段により前記発進クラッチの伝達トルク容量の低下速度を増大させることに先立って実行する起動遅延手段とを備えている。【選択図】図１
2014069771.tif 000002
【特許請求の範囲】
【請求項１】
点火時期を遅角させることによってトルクが低下するエンジンと駆動輪との間に、前記エンジンのトルクを伝達トルク容量に応じて変化させることのできる発進クラッチが設けられた車両におけるエンジンの自動停止および再始動の制御装置において、
運転者の停止操作によらずに前記エンジンを自動的に停止させる条件が成立した場合に、前記発進クラッチの伝達トルク容量を低下させる低下指示手段と、
前記発進クラッチの伝達トルク容量を低下させる制御の過程で前記点火時期を遅角させて前記エンジンの出力トルクを低下させた後、前記エンジンの自立回転を停止させる停止手段と、
前記発進クラッチが開放したことの判断が成立する以前に前記エンジンを再始動させる条件が成立した場合に、前記発進クラッチが開放状態となるように前記発進クラッチの伝達トルク容量の低下速度を増大させる急開放指示手段と、
前記エンジンを再始動させる条件が成立した場合に、前記エンジンを再始動させるべく回転させるスタータの起動を遅延させる制御を、前記急開放指示手段により前記発進クラッチの伝達トルク容量の低下速度を増大させることに先立って実行する起動遅延手段と
を備えていることを特徴とする車両におけるエンジンの自動停止および再始動の制御装置。
【請求項２】
前記発進クラッチは、油圧によって係合しかつ油圧に応じた伝達トルク容量となる摩擦クラッチを含み、
前記低下指示手段は、前記摩擦クラッチの油圧を低下させる指示を行う手段を含み、
前記摩擦クラッチの入力側の回転数と出力側の回転数との差の絶対値が予め定めた基準回転数以上でかつ前記油圧の指示値が予め定めた所定値以下の場合に前記停止手段により前記エンジンの自立回転を停止させることを許可する許可手段を更に備えている
ことを特徴とする請求項１に記載の車両におけるエンジンの自動停止および再始動の制御装置。
【請求項３】
前記点火時期の遅角制御は、前記車両の車速が予め定めた車速まで低下した際に開始するように構成されていることを特徴とする請求項１または２に記載の車両におけるエンジンの自動停止および再始動の制御装置。
【請求項４】
ロックアップクラッチを備えたトルクコンバータが前記発進クラッチと直列に配置され、
前記低下指示手段は、前記ロックアップクラッチの伝達トルク容量を低下させる手段を含み、
前記急開放手段は、前記ロックアップクラッチの伝達トルク容量の低下速度を増大させる手段を含む
ことを特徴とする請求項１ないし３のいずれかに記載の車両におけるエンジンの自動停止および再始動の制御装置。
【発明の詳細な説明】
【技術分野】
【０００１】
この発明は、エンジンと駆動輪との間のトルク伝達を遮断する発進クラッチを備え、エンジンの自動停止と発進クラッチの開放とを関連させて制御する装置に関するものである。
【背景技術】
【０００２】
車両が走行している際に駆動力源に要求される動作状態は多様であって、発進や加速などの場合には駆動力源は大きいトルクを出力する必要があり、また減速時には動力損失を増大させて制動力を発生する必要がある。さらに、速度を維持して走行する場合には駆動力および制動力のいずれも発生する必要がない場合がある。このように、駆動力源は常時、駆動力を出力している必要はないので、内燃機関を駆動力源として搭載している車両においては、メインスイッチがオン状態であっても、内燃機関を自動停止させて燃費を向上させる制御が行われるようになってきている。
【０００３】
このような制御は、ストップ・アンド・スタート（Ｓ＆Ｓ）制御あるいはエコラン制御などと称されることがあり、車両が停止信号に従って止まった場合に内燃機関を停止する制御や、アクセルペダルが戻されて減速している際に内燃機関を停止させる制御、ある程度以上の車速で走行している状態でアクセルペダルが戻された場合に内燃機関を停止させる制御が含まれる。このようなＳ＆Ｓ制御による内燃機関の停止は一時的なものであって、加速要求などによって内燃機関を再始動することになり、また減速中もしくは走行中であれば車両の走行状態と内燃機関の動作状態とが異なることになるので、内燃機関を停止させる場合には内燃機関と駆動輪との間のトルクの伝達を遮断している。具体的には、内燃機関に連結されている変速機の入力側のクラッチを開放して、内燃機関と変速機との間のトルク伝達を遮断している。また、ロックアップクラッチ付きのトルクコンバータを備えている場合には、そのロックアップクラッチを開放させている場合もある。
【０００４】
内燃機関は上述したように駆動トルクや制動トルクを発生するから、上記のクラッチの係合および開放の状態に応じて、動力伝達系統や駆動輪でのトルクが異なったものとなる。そのため、トルクの変化に起因してショックが生じるなどの事態を抑制し、またトルクの変化が加速遅れや制動遅れの要因にならないようにするために、従来、各種の制御が提案されている。例えば特許文献１には、内燃機関の出力側に、ロックアップクラッチ付きのトルクコンバータと、クラッチと、変速機とが直列に連結された車両を対象とし、内燃機関の運転を停止するにあたり、先ず、ロックアップクラッチを開放状態に切り替え、その後にクラッチを開放し，その状態で内燃機関の運転を停止するように構成された制御装置が記載されている。特許文献１の記載によれば、そのように制御することにより、ショックを抑制して運転者が違和感を感じることを抑えることができる、とされている。また、特許文献２には、エンジンを停止する条件が成立した場合、エンジンの出力側に設けられているクラッチを開放し、その開放制御は、クラッチの目標油圧を算出し、クラッチ油圧をその目標値に基づいて制御することにより行うように構成された装置が記載されている。さらに、特許文献３には、エンジンを自動停止させることに起因するショックを抑制することを目的とした装置であって、エンジンを自動停止する前に、摩擦係合装置の油圧を低下させてエンジンから駆動輪に伝達されるトルクを低下させるように構成された装置が記載されている。
【０００５】
一方、内燃機関を起動し、あるいは再始動した直後ではそのトルクの変動が大きいことが知られており、そこで特許文献４に記載された装置は、エンジンを起動した際のトルク変動によって乗り心地が悪化することを抑制するために、エンジンを停止するべくクラッチを開放する際に、点火時期の遅角制御を行い、エンジンの再始動時にクラッチを係合するにあたり、点火時期を次第に進角させるように構成されている。また、特許文献５には、エンジンの再始動に備えてピストンを適正な位置に停止させるために、エンジンの停止条件の成立後、点火時期の遅角によってエンジントルクを低下させるように構成された装置が記載されている。
【先行技術文献】
【特許文献】
【０００６】
【特許文献１】特開２００６−１８２１４８号公報
【特許文献２】特開２０１２−９１５９２号公報
【特許文献３】特開２０００−１７０８９４号公報
【特許文献４】特開平１１−２７０３７６号公報
【特許文献５】特開２００４−２９３４７４号公報
【発明の概要】
【発明が解決しようとする課題】
【０００７】
上述したＳ＆Ｓ制御やアイドリングストップ制御あるいはエコラン制御などと称させる制御で駆動力源である内燃機関を停止させ、かつ再始動させる場合、内燃機関の挙動もしくは動作状態が運転者の意図しない車両の挙動の変化とならないようにするために、クラッチの伝達トルク容量を低下させた状態で内燃機関を停止させ、また内燃機関の再始動後にその伝達トルク容量を次第に増大させることになる。しかしながら、その場合、内燃機関の停止に先立つクラッチの開放に長時間を要すると、内燃機関を停止させておく時間が短くなって燃費の向上効果が損なわれる可能性が高くなる。例えば上述した特許文献１に記載されているように、ロックアップクラッチとクラッチとを順に開放させ、そのクラッチの開放を待ってエンジンを停止させるとすれば、エンジンの停止に遅れが生じることになる。このような事情は特許文献２や特許文献３に記載されている装置においても同様であって、クラッチの油圧を目標値に向けて次第に低下させ、その後にエンジンを停止させるのであれば、エンジンの停止に遅れが生じる。
【０００８】
また、ガソリンエンジンのように燃料と空気との混合気を点火プラグによって点火して燃焼させる内燃機関にあっては、特許文献４や特許文献５に記載されているように、その点火時期を遅角させれば、エンジントルクが低下する。したがって、Ｓ＆Ｓ制御などでエンジンを停止させる際に点火時期の遅角制御を併用すれば、エンジントルクの変化を滑らかにすることができる。しかしながら、遅角制御を伴うエンジンの停止制御をクラッチの開放の後に実行するとすれば、クラッチやロックアップクラッチの開放制御に続けて更に複数の制御が継続することになるので、上述した特許文献１ないし３のそれぞれに記載されている装置と同様に、エンジンの停止に遅れが生じる可能性が高くなる。
【０００９】
そして、内燃機関を一時的に自動停止させる制御は、加速要求もしくは駆動要求の有無など、車両の動作状態に基づいて行われるから、車両が走行している状況もしくは道路状況によっては、停止条件が成立した後、内燃機関が停止する前に内燃機関を再始動する条件が成立することがある。このような場合、上記の各特許文献１〜５に記載されているように、クラッチの制御とエンジンの制御とを単に順序を追って実行するとすれば、内燃機関の出力の増大に遅れが生じてしまう。
【００１０】
この発明は上記の技術的課題に着目してなされたものであって、エンジンの自動停止および再始動の制御を遅れや違和感を生じることなく実行することを可能にする制御装置を提供することを目的とするものである。
【課題を解決するための手段】
【００１１】
上記の目的を達成するために、請求項１の発明は、点火時期を遅角させることによってトルクが低下するエンジンと駆動輪との間に、前記エンジンのトルクを伝達トルク容量に応じて変化させることのできる発進クラッチが設けられた車両におけるエンジンの自動停止および再始動の制御装置において、運転者の停止操作によらずに前記エンジンを自動的に停止させる条件が成立した場合に、前記発進クラッチの伝達トルク容量を低下させる低下指示手段と、前記発進クラッチの伝達トルク容量を低下させる制御の過程で前記点火時期を遅角させて前記エンジンの出力トルクを低下させた後、前記エンジンの自立回転を停止させる停止手段と、前記発進クラッチが開放したことの判断が成立する以前に前記エンジンを再始動させる条件が成立した場合に、前記発進クラッチが開放状態となるように前記発進クラッチの伝達トルク容量の低下速度を増大させる急開放指示手段と、前記エンジンを再始動させる条件が成立した場合に、前記エンジンを再始動させるべく回転させるスタータの起動を遅延させる制御を、前記急開放指示手段により前記発進クラッチの伝達トルク容量の低下速度を増大させることに先立って実行する起動遅延手段とを備えていることを特徴とするものである。
【００１２】
請求項２の発明は、請求項１の発明において、前記発進クラッチは、油圧によって係合しかつ油圧に応じた伝達トルク容量となる摩擦クラッチを含み、前記低下指示手段は、前記摩擦クラッチの油圧を低下させる指示を行う手段を含み、前記摩擦クラッチの入力側の回転数と出力側の回転数との差の絶対値が予め定めた基準回転数以上でかつ前記油圧の指示値が予め定めた所定値以下の場合に前記停止手段により前記エンジンの自立回転を停止させることを許可する許可手段を更に備えていることを特徴とする車両におけるエンジンの自動停止および再始動の制御装置である。
【００１３】
請求項３の発明は、請求項１または２の発明において、前記点火時期の遅角制御は、前記車両の車速が予め定めた車速まで低下した際に開始するように構成されていることを特徴とする車両におけるエンジンの自動停止および再始動の制御装置である。
【００１４】
請求項４の発明は、請求項１ないし３のいずれかの発明において、ロックアップクラッチを備えたトルクコンバータが前記発進クラッチと直列に配置され、前記低下指示手段は、前記ロックアップクラッチの伝達トルク容量を低下させる手段を含み、前記急開放手段は、前記ロックアップクラッチの伝達トルク容量の低下速度を増大させる手段を含むことを特徴とする車両におけるエンジンの自動停止および再始動の制御装置である。
【発明の効果】
【００１５】
この発明によれば、エンジンを自動停止する場合、発進クラッチの伝達トルク容量を低下させる制御の途中でエンジンの点火時期の遅角制御を行い、その遅角制御の後にエンジンの自立回転を停止させるから、エンジンの自動停止の条件が成立した後、迅速にエンジンを停止させることができ、それに伴って車両の燃費を改善することが可能になる。また、発進クラッチのいわゆる開放制御の途中でエンジンの停止制御を実行することになるので、そのエンジンを再始動する条件が、発進クラッチの開放制御中に成立することがあり、その場合、発進クラッチの伝達トルク容量を急速に低下させ、かつ再始動のためにエンジンを回転させる制御を遅延させるので、エンジンを再始動させることによるトルクが駆動輪に現れ、あるいはショックが生じるなどの事態を未然に回避もしくは抑制することができる。
【図面の簡単な説明】
【００１６】
【図１】この発明に係る制御装置で実行される制御の一例を説明するためのフローチャートである。
【図２】この発明に係る制御装置で実行される遅角制御の一例を説明するためのフローチャートである。
【図３】この発明に係る制御装置で実行されるエンジン停止制御の一例を説明するためのフローチャートである。
【図４】クラッチの開放制御中にエンジン再始動の要求があった場合にこの発明に係る制御装置で実行される制御の一例を説明するためのフローチャートである。
【図５】この発明に係る制御装置で減速Ｓ＆Ｓ制御を行った場合の各回転数や指示圧などの変化を模式的に示すタイムチャートである。
【図６】従来の減速Ｓ＆Ｓ制御を行った場合の各回転数や指示圧などの変化を模式的に示すタイムチャートである。
【図７】この発明で対象とする車両のパワートレーンを模式的に示すブロック図である。
【発明を実施するための形態】
【００１７】
この発明で対象とする車両は、エンジン（Ｅ／Ｇ）１と、トルクコンバータ２と、発進クラッチ（Ｃ1 クラッチ）３とを備えている。これを模式的に示せば図７のとおりであり、ここに示す例では、更に変速機（Ｔ／Ｍ））４を備え、その変速機４から終減速機５を介して左右の駆動輪６にトルクを伝達するように構成されている。そのエンジン１は要は燃料を燃焼して動力を出力する内燃機関であり、特に燃料と空気との混合気に火花で点火し、クランク角度に対する点火の時期を遅らせる（遅角させる）ことにより出力トルクが低下するエンジンであり、したがって一般的にはガソリンエンジンである。また、このエンジン１には、従来知られているエンジンと同様に、スタータモータ１Ｓが付設されており、燃料の供給や点火を一旦止めて自立回転を自動停止させた後にスタータモータ１Ｓによってモータリングすることによりエンジン１を再始動させることができる。
【００１８】
トルクコンバータ２は従来知られているものと同様の構成のものであって、エンジン１によって回転させられるポンプインペラー７と、ポンプインペラー７によって生じさせられたオイルの螺旋流を受けて回転するタービン８と、これらポンプインペラー７とタービン８との間に、ワンウェイクラッチを介して所定の固定部（それぞれ図示せず）に取り付けられて配置されたステータ９とを備えている。したがって、コンバータ領域においてはトルクの増幅作用が生じるので、発進クラッチ３に対する入力トルクがトルクコンバータ２における速度比もしくはトルク比に応じて変化することになる。
【００１９】
さらに、トルクコンバータ２は、その入力側の部材と出力側の部材とを機械的に直接連結するロックアップクラッチ（直結クラッチ）１０を備えている。このロックアップクラッチ１０は従来知られているものと同様の構成であって、油圧によって動作し、その油圧に応じて伝達トルク容量が連続的に変化する摩擦クラッチによって構成されている。
【００２０】
発進クラッチ３は、エンジン１と変速機４との間でトルクを伝達し、またそのトルクの伝達を遮断する係合機構であって、伝達トルク容量を連続的に変化させることができるように構成され、その例は摩擦クラッチであり、油圧によって伝達トルク容量が制御される多板クラッチが一般的である。さらに、変速機４は、変速比がステップ的に変化する有段式の自動変速機、あるいは変速比が連続的に変化する無段変速機であり、前記発進クラッチ３はこの変速機４に組み込まれていてもよい。
【００２１】
この発明で対象とする車両は、上述したパワートレーンを備えており、そのエンジン１を所定の実行条件の成立によって一時的に停止させ、また所定の復帰条件の成立によってエンジン１を再始動させるいわゆるエコラン制御もしくはストップ・アンド・スタート制御（Ｓ＆Ｓ制御）を行うように構成されている。エコラン制御もしくはＳ＆Ｓ制御（以下仮に、これらをまとめてＳ＆Ｓ制御と記す）には、車両が停止していることによりエンジン１を停止させる停止Ｓ＆Ｓ制御と、アクセルペダルを戻しかつブレーキペダルを踏み込んで停止に向けて減速している場合にエンジン１を自動停止させる減速Ｓ＆Ｓ制御と、ある程度以上の車速で走行している際にアクセルペダルが戻されることによりエンジン１を自動停止させるフリーランＳ＆Ｓ制御とがある。その実行条件と復帰条件とを説明すると、停止Ｓ＆Ｓ制御は、車速が「０」でかつブレーキペダルが踏み込まれるブレーキ・オンで実行され、ブレーキペダルが戻されるブレーキ・オフで復帰し、エンジン１が始動させられる。減速Ｓ＆Ｓ制御は、所定の車速以下の車速で走行している場合にアクセルペダルが戻されるアクセル・オフ、かつブレーキ・オンとなることにより実行され、ブレーキ・オフもしくはアクセルペダルが踏み込まれるアクセル・オンで復帰し、エンジン１が始動させられる。フリーランＳ＆Ｓ制御は、所定の車速以上の車速で走行している状態でアクセル・オフで実行され、アクセル・オンで復帰し、エンジン１が始動させられる。
【００２２】
上記のエンジン１およびスタータモータ１Ｓ、ロックアップクラッチ１０、発進クラッチ３、変速機４などを制御する電子制御装置（ＥＣＵ）１１が設けられている。ここで説明している電子制御装置１１は、エンジン用電子制御装置やトルクコンバータ用電子制御装置、変速機用電子制御装置などを統合した装置として示してあり、入力されたデータや予め記憶しているデータ、制御プログラムなどによって演算を行い、その演算結果を制御指令信号として出力するように構成されている。なお、具体的な制御動作は、制御回路や油圧アクチュエータなどによって実行される。その制御の例を挙げると、エンジン１の点火時期の遅角制御や進角制御、スタータモータ１Ｓの起動および停止、エンジン１における燃料の供給制御、ロックアップクラッチ１０の係合および開放などの伝達トルク容量の制御、発進クラッチ３の係合および開放などの伝達トルク容量の制御、変速機４の変速比制御などである。また、入力されているデータの例を挙げると、エンジン回転数ＮE 、トルクコンバータ２におけるタービン回転数（発進クラッチ３の入力側回転数）ＮT 、変速機４の入力回転数（発進クラッチ３の出力側回転数）ＮIN、アクセル開度ＡCC、車速Ｖ、変速機４のシフトポジション、ブレーキ信号などである。
【００２３】
上記の車両を対象とするこの発明に係る制御装置は、Ｓ＆Ｓ制御でエンジン１を運転者の操作によらずに自動停止させる場合、エンジン１を停止させる制御に関連して発進クラッチ３を開放させることにより、エンジン１と変速機４との間、あるいはエンジン１と駆動輪６との間のトルク伝達を遮断する。また、発進クラッチ３の開放に合わせてロックアップクラッチ１０を開放する。これらのクラッチ３，１０の制御の例を以下に説明する。
【００２４】
図１は、この発明に係る制御装置によって実行される制御の一例を説明するためのフローチャートであって、車両の減速時にエンジン１を停止するいわゆる減速Ｓ＆Ｓ制御に関連して実行されるクラッチの開放制御の例である。この図１に示すルーチンは、所定の短時間毎に繰り返し実行される。図１に示す制御例では、先ず、シフトレンジもしくはシフトパターンが減速Ｓ＆Ｓ制御を許可する状態になっているか否かが判断される（ステップＳ１０１）。シフトレンジあるいはシフトパターンは、変速機４が自動変速機の場合、車速やアクセル開度などの車両の走行状態に基づいて設定される変速段あるいは変速比の領域あるいはパターンを設定するためのものであって、運転者の操作によって選択される。そのシフトレンジあるいはシフトパターンには、車両を前進走行させるためのドライブ以外に、車両を停止状態に設定するパーキングや後進走行させるリバース、駆動輪６に対するトルクの伝達を遮断するニュートラルなどが含まれている。これらのうち前進走行させるためのレンジもしくはパターン以外が選択されている場合には、減速Ｓ＆Ｓ制御を実行することがないので、ステップＳ１０１では先ず、そのシフトレンジあるいはシフトパターンを判断することとしたのである。したがって、ステップＳ１０１で否定的に判断された場合には、特に制御を行うことなく図１に示す制御を一旦終了する。
【００２５】
これに対して前進走行のためのシフトレンジあるいはシフトパターンが設定されていることによりステップＳ１０１で肯定的に判断された場合には、車速Ｖ以外の条件が減速Ｓ＆Ｓ制御を実行できる条件になっているか否かが判断される（ステップＳ１０２）。この判断は、要は、エンジン１や補機類あるいはバッテリーなどの減速Ｓ＆Ｓ制御を実行するための各種の機器に異常がないか否かを判断するためのものであり、異常があれば否定的に判断されて図１に示す制御を一旦終了する。異常がない場合にはステップＳ１０２で肯定的に判断され、その場合には、ロックアップクラッチ１０を係合状態に維持するモード（Ｌ／Ｕモード）がオフになっているか否か、すなわちロックアップクラッチ１０が開放状態か否か、あるいはロックアップクラッチ１０をスムースに開放する制御中か否かが判断される（ステップＳ１０３）。この判断は、ロックアップクラッチ１０に対する制御信号の内容によって行うことができる。なお、ステップＳ１０２におけるいわゆるフェール判断は、車両における各種の制御で実行されるから、図１に示すルーチンでは特に行わずに、他の制御での判断結果を利用するようにしてもよい。
【００２６】
このステップＳ１０３で否定的に判断された場合、すなわちロックアップクラッチ１０を係合させるＬ／Ｕモードがオンになっていたり、あるいはロックアップクラッチ１０を係合させる制御が実行されている場合には、特に制御を行うことなく図１に示す制御を一旦終了する。ロックアップクラッチ１０は、エンジン回転数が低回転数であり、また車速が低車速の場合には、エンジン１のトルク変動に起因する振動をも伝達してしまうので、ロックアップクラッチ１０を係合させるいわゆるロックアップ領域やスリップ状態に制御するスリップ（ハーフロックアップ）領域が車速やアクセル開度（もしくはスロットル開度）に基づいて定められている。したがってアクセルペダルが踏み込まれていたり、高車速で走行しているなど、Ｓ＆Ｓ制御を実行する条件が成立していない場合には、ステップＳ１０３で否定的に判断される。これに対してアクセルペダルが戻されてエンジン回転数あるいは車速が低下している場合には、ロックアップクラッチ１０が開放状態に制御されるので、ステップＳ１０３で肯定的に判断され、その場合は、車速Ｖが予め定めた基準車速Ｖ1 以下か否かが判断される（ステップＳ１０４）。このステップＳ１０４の判断は、車両が被駆動状態（クリープトルクが作用していない状態）になっているか否かを判断するためのものであり、その基準車速Ｖ1 はアクセル開度や変速機４で設定されている変速比などに応じて予め決めておくことができる。
【００２７】
このステップＳ１０４で否定的に判断された場合には、車両がエンジン１の出力トルクによって駆動されるいわゆる力行状態になっているので、エンジン１を自動停止する条件が成立していないことになり、したがってこの場合は特に制御を行うことなく図１に示す制御を一旦終了する。これとは反対に車速Ｖが基準車速Ｖ1 以下であることによりステップＳ１０４で肯定的に判断された場合には、スロットル開度がアイドル開度になってから予め定めた所定時間が経過したか否かが判断される（ステップＳ１０５）。アクセルペダルが戻されることによりスロットルバルブを閉じる指令信号が出力されるから、その指令信号の出力に基づいてアイドル開度になったことを判定することができる。これに対して、エンジン１の吸入空気量は、空気の圧縮および膨張による脈動などで直ちには変化しない。そこで、上記の所定時間は、そのような吸入空気量の変化の遅れを見込んで予め定めた時間であり、アクセル開度が急に減じられた場合であっても確実に被駆動状態になってからクラッチの開放制御を行うためにステップＳ１０５の判断を行うこととしてある。
【００２８】
したがって、ステップＳ１０５で否定的に判断された場合には、特に制御を行うことなく図１に示す制御を一旦終了する。これとは反対に肯定的に判断された場合には、Ｓ＆Ｓ制御によってエンジン１を自動停止することに関連して発進クラッチ（Ｃ1 クラッチ）３を制御しているか否かが判断される（ステップＳ１０６）。エンジン１を駆動して走行している状態からアクセルペダルが戻されるなど、Ｓ＆Ｓ制御の実行条件が成立した後、初めてそのステップＳ１０６に到った場合には、その判断結果は否定的になる。この場合、Ｓ＆Ｓ制御に関連して、あるいはＳ＆Ｓ制御を実行するために、クラッチを開放する制御を開始する判断が成立し（ステップＳ１０７）、クラッチ制御モードが開放制御モードに設定される（ステップＳ１０８）。その開放制御モードでは、その発進クラッチ３を開放する（伝達トルク容量を低下させる）手順あるいは過渡的な指示圧さらにはその継続時間が予め定められており、クラッチ制御モードが開放制御モードに切り替えれることにより、発進クラッチ３が予め定められた内容に従って制御される。すなわち、ステップＳ１０９ではその開放制御モードに従って発進クラッチ３の開放油圧の制御が開始される。その制御の一例は、指示圧を所定値までステップ的に低下させ、その後、所定の勾配で指示圧を低下させる制御であり、あるいは入力側の回転数と出力側の回転数との差回転数に目標値を設定し、実際の差回転数がその目標値に追従するように指示圧を設定するフィードバック制御である。その後、一旦、図１に示すルーチンが終了される。
【００２９】
上述したステップＳ１０７でクラッチを開放する制御を開始する判断が成立した後は、ステップＳ１０６で肯定的に判断され、その場合は発進クラッチ３の開放制御が行われているか否かが判断される（ステップＳ１１０）。発進クラッチ３の制御が開放制御以外の場合、すなわち開放制御中でないことによりステップＳ１１０で否定的に判断された場合には、特に制御を行うことなく図１に示す制御を一旦終了する。これとは反対に開放制御が開始していてステップＳ１１０で肯定的に判断された場合には、発進クラッチ３の前後回転数差の絶対値が予め定めた基準回転数Ｎ1 以上で、かつ発進クラッチ３の指示圧が所定値以下か否かが判断される（ステップＳ１１１）。ここで前後回転数差とは、タービン回転数ＮT と入力回転数ＮINとの差である。また、基準回転数Ｎ1 は発進クラッチ３の開放が進行していることを判断するためのものであり、前側（エンジン１側）の回転数もしくはトルクの変化がショックなどの違和感の要因にならない回転数として実験などによって定めた回転数である。さらに、発進クラッチ３指示圧を判断する上記の所定値は、発進クラッチ３の開放制御が進行したこと、あるいは伝達トルク容量が十分に低下したことを判断するためのものであって、上記の回転数差についての理由と同様に、前側（エンジン１側）の回転数もしくはトルクの変化がショックなどの違和感の要因にならない係合圧として実験などによって定められている。
【００３０】
このステップＳ１１１で否定的に判断されれば、発進クラッチ３が未だ十分に開放しておらず、その伝達トルク容量が大きいことになるから、特に制御を行うことなく図１に示す制御を一旦終了する。これに対してステップＳ１１１で肯定的に判断された場合には、発進クラッチ３の開放制御が進行してその伝達トルク容量が小さくなっていることになるから、エンジン１の停止を許可する（ステップＳ１１２）。この許可に基づくエンジン１の停止制御については後述する。そして、所定の条件が成立することにより発進クラッチ３の制御モードを通常の制御である定常制御モードに切り替え（ステップＳ１１３）、図１のルーチンを一旦終了する。
【００３１】
この発明に係る制御装置は、上述した発進クラッチ３の開放制御を行っている過程で、すなわち発進クラッチ３が完全に開放したことの判断に成立を待たずに、エンジン１の出力トルクを低下させる遅角制御を実行する。その制御ルーチンを図２に示してあり、ここに示す例では、先ず、Ｓ＆Ｓ制御によるエンジン停止要求があるか否かが判断される（ステップＳ２０１）。これは、例えば上述したステップＳ１１２におけるエンジン停止許可が成立したか否かを判断することにより行うことができる。エンジン停止要求がないことによりステップＳ２０１で否定的に判断された場合には、特に制御を行うことなく図２のルーチンを一旦終了する。これとは反対にエンジン停止要求があることによりステップＳ２０１で肯定的に判断された場合は、エンジン１の点火時期を遅らせる遅角制御が実行される（ステップＳ２０２）。この制御は、点火時期を失火限界まで徐々に遅角させる制御であり、その点火時期の変化率（変化勾配）は、エンジン１の停止およびそれに伴うトルクの変化がショックなどの違和感の要因にならないように予め設定することができる。また、失火限界は、エンジン１の気筒数や排気量などによって決まっている。
【００３２】
また、上述したステップＳ１１２でエンジン停止許可が成立したことに伴うエンジン１の具体的な停止制御について説明すると、図３はその制御例を説明するためのフローチャートである。エンジン１の自動停止は、Ｓ＆Ｓ制御として実行されるので、先ず、Ｓ＆Ｓ制御によるエンジン停止要求があるか否かが判断され（ステップＳ３０１）、そのエンジン停止要求がないことによりステップＳ３０１で否定的に判断された場合には図３のルーチンを一旦終了し、ことは反対に肯定的に判断された場合には、発進クラッチ３の開放が完了しているか否かが判断される（ステップＳ３０２）。このステップＳ３０２の判断は、前述したステップＳ１１２でエンジン１の停止許可が成立した後に実行される。この発明に係る制御装置は、発進クラッチ３の開放制御の途中でエンジン停止のための遅角制御を実行するから、最初にステップＳ３０２の判断を行った場合には判断結果は否定的になり、その場合は、前述した遅角制御が終了しているか否かが判断される（ステップＳ３０３）。ここで遅角制御の終了とは、点火時期が失火限界まで遅角されたことであり、したがってステップＳ３０３の判断はエンジン１の点火時期の制御指令に基づいて行うことができる。
【００３３】
遅角制御が終了していないことによりステップＳ３０３で否定的に判断された場合には、図３のルーチンを一旦終了し、再度、ステップＳ３０１からの制御を行う。これに対して遅角制御が終了していることによりステップＳ３０３で肯定的に判断された場合には、エンジン１を自動停止させる（ステップＳ３０４）。具体的にはエンジン１の対する燃料の供給を停止し、また点火プラグへの通電を止めるなど、エンジン１の自立回転を停止する制御である。一方、ステップＳ３０２で発進クラッチ３の開放が完了していることが判断された場合、すなわちステップＳ３０２で肯定的に判断された場合、直ちにステップＳ３０４に進んで、エンジン１を自動停止させ、図３のルーチンを一旦終了する。
【００３４】
したがって、Ｓ＆Ｓ制御によってエンジン１を自動停止させる場合、この発明に係る制御装置によれば、発進クラッチ３を開放させる制御の過程で、エンジン１の遅角制御を実行してエンジントルクを停止に向けて低下させる。言い換えれば、発進クラッチ３が完全に開放することを待つことなくエンジン１を自動停止させ、あるいは停止制御を開始するので、エンジン１の自動停止の遅れを従来になく短縮でき、それに伴って車両の燃費の向上効果を増大させることができる。
【００３５】
この発明の制御装置によれば、発進クラッチ３の開放制御の途中でエンジン１を自動停止させることがあり、したがってエンジン１の再始動の要求が、発進クラッチ３の開放制御の途中で発生することがある。このような状況は、クラッチの開放完了後にエンジンの停止制御を実行する従来の装置では発生しない状況である。そこでこの発明に係る制御装置は、発進クラッチ３の開放制御中にエンジン１の再始動要求があった場合、エンジン１を再始動することに伴うショックや発進クラッチ３の過大なスリップなどの不都合を回避するために、エンジン１のクランキング（モータリング）の遅延制御と、発進クラッチ３の急開放制御とを実施するように構成されている。
【００３６】
図４はその制御例を説明するためのフローチャートであり、Ｓ＆Ｓ制御中に所定の短時間毎に繰り返し実行される。ここに示す例では、先ず、Ｓ＆Ｓ制御によるエンジン１の再始動の要求があるか否かが判断される（ステップＳ４０１）。再始動の要求がないことによりステップＳ４０１で否定的に判断された場合には、特に制御を行うことなく図４のルーチンを一旦終了する。これに対して再始動の要求があることによりステップＳ４０２で肯定的に判断された場合には、発進クラッチ（Ｃ1 クラッチ）３の開放が完了しているか否かが判断される（ステップＳ４０２）。この判断は、例えば前述したステップＳ１１１と同様の条件が成立したか否かを判断することにより行えばよい。図４のルーチンの開始当初は、ステップＳ４０２で否定的に判断される。その場合は、ステップＳ４０３に進んでスタータ起動ディレイ中か否かが判断される。このスタータ起動ディレイは、エンジン１の再始動要求があってもスターターモータ１０を起動させずに所定の条件が成立するまでその起動を遅延させる制御である。
【００３７】
図４に示す制御が開始された当初は、スタータ起動ディレイは未だ実施されていないのでステップＳ４０３で否定的に判断され、ステップＳ４０４に進んでスタータ起動ディレイ要求が開始される。これは、予め定めた時間の間、スタータモータ１Ｓへの通電もしくはその起動を禁止する制御である。なお、スタータ起動ディレイが既に開始されていることによりステップＳ４０３で肯定的に判断された場合には、従前の制御状態を維持するために、図４に示すルーチンを一旦終了する。
【００３８】
そして、スタータ起動ディレイ要求の開始と併せて発進クラッチ３およびロックアップクラッチ１０を急速に開放させる指令が開始され（ステップＳ４０５）、図４のルーチンが一旦終了される。その急速な開放の指令は、具体的には、それぞれの油圧を低下させる指示である。その指示圧は、ロックアップクラッチ１０については「０」、発進クラッチ３については定常制御モードでの油圧である。なお、定常制御モードは、アクセル開度などの駆動力要求量（出力要求量）に応じて指示圧を設定する制御モードである。こうしてエンジン１をスタータモータ１Ｓで回転させる前に各クラッチ３，１０の伝達トルク容量が十分に低下させられる。
【００３９】
そして、発進クラッチ３の開放が完了してステップＳ４０２で肯定的に判断された場合には、スタータ起動ディレイ要求が終了させられ（ステップＳ４０６）、また発進クラッチ３およびロックアップクラッチ１０の急開放指令が解除され（ステップＳ４０７）、図４のルーチンが一旦終了される。したがって、図４に示すように制御することにより、発進クラッチ３の開放制御中にエンジン１の再始動要求が発生しても、駆動トルクが急変したり、あるいは発進クラッチ３に過剰な滑りが生じるなどの不都合を回避もしくは抑制することができる。また、エンジン１のクランキングもしくはモータリングを単に遅延させるだけでなく、開放制御中の発進クラッチ３の伝達トルク容量を急速に低下させるから、エンジン１の再始動の遅延を可及的に短くして運転者に違和感を与えることを防止もしくは抑制することができる。
【００４０】
上述したこの発明に係る制御装置でＳ＆Ｓ制御を実行した場合のクラッチ制御モードや点火時期、発進クラッチ３の指示圧などの変化を図５にタイムチャートで示してある。ここに示す例は、アクセルペダルが戻されて減速している状態でエンジン１を停止する減速Ｓ＆Ｓ制御の例であり、ブレーキ操作されていない状態では、エンジン回転数をフューエルカット（ＦＣ）回転数以上に維持するために、車速の低下に従って変速比が増大させられ、また発進クラッチ３およびロックアップクラッチ１０を係合させておくためにそれぞれの指示圧（Ｃ1 指示圧およびＬＵ指示圧）がライン圧程度の高い圧力に維持されている。この状態でブレーキ操作されると（ｔ1 時点）、車両が停止することが予想されるので、それに関連する発進クラッチ３の制御が開始される。すなわち、クラッチ制御モードが開放制御モードに設定される。したがって、発進クラッチ３の指示圧（Ｃ1 指示圧）およびロックアップクラッチ１０の指示圧（ＬＵ指示圧）がステップ的に低下させられ、その後、所定の勾配で次第に低下させられる。
【００４１】
ロックアップクラッチ１０の伝達トルク容量が低下することによりロックアップクラッチ１０の滑り回転数が増大するので、エンジン回転数ＮE が低下し始める。それに伴ってドライブシャフト（Ｄ／Ｓ）の負トルク（制動トルク）が僅かに減少し、またエンジンストールを回避するためにフューエルカット（アイドルオンＦＣ）制御が中止（復帰）される。このように制御している過程で車速Ｖが減速Ｓ＆Ｓ制御でのエンジン停止車速にまで低下すると（ｔ2 時点）、各クラッチ３，１０の開放が完了していずにその開放制御中であっても、点火時期の遅角制御が開始される。そして、点火時期が失火限界に達すると（ｔ3 時点）、エンジン１への燃料供給を停止させるので、エンジン回転数ＮE が急速に低下し、またエンジン１による制動トルクが低下してドライブシャフトトルクが増大する（負トルクが低下する）。
【００４２】
この時点では、各クラッチ３，１０の指示圧は開放に向けて低下させている過渡状態になっており、したがって発進クラッチ３は未だある程度高い伝達トルク容量になっていてタービン回転数ＮT と入力回転数ＮINとがほぼ等しくなっている。そして、発進クラッチ３の伝達トルク容量が低下して行くと、トルクコンバータ２を連れ回すことによる負のトルクが小さくなるので、ドライブシャフトトルクが徐々に増大（負のトルクが徐々に減少）し、また発進クラッチ３の前後回転数に差が生じる。すなわちタービン回転数ＮT が入力回転数ＮINに対して低下し始める。図５に示す例は、このような伝達トルク容量の低下の過程でブレーキが戻されてエンジン１の再始動要求が発生した例であり、このようにして再始動要求が発生すると（ｔ4 時点）、スタータ起動ディレイが開始される。すなわち、再始動要求があってもエンジン１はクランキング（モータリング）されないから、その回転数ＮE は「０」になっている。また、同時に、各クラッチ３，１０の指示圧ステップ的に（急速に）低下させられる。言い換えれば、急開放制御が実行される。その結果、発進クラッチ３の伝達トルク容量が急速に低下する。これは、タービン回転数ＮT の入力回転数ＮINに対する低下として現れる。
【００４３】
その後、スタータ起動ディレイが実行されている間に、発進クラッチ３の制御モードが定常制御モードに切り替えられる（ｔ5 時点）。この時点では、アクセルオフになっているから、発進クラッチ３の指示圧は、その直前と同様の低い圧力に維持される。こうして発進クラッチ３の前後回転数差の絶対値が前述した基準回転数Ｎ1 以上になると（ｔ6 時点）、スタータ起動ディレイ要求が終了し、スタータモータ１Ｓによるエンジン１のクランキング（モータリング）が許可される。したがって、エンジン回転数ＮE はクランキング（モータリング）されることにより増大する。また同時に、発進クラッチ３の制御モードが、エンジン再始動時における定圧（低圧）待機制御モードに切り替えられる。したがって、再始動定圧（低圧）待機制御モードへの切り替えがスタータ起動ディレイと同様に遅延させられることになる。その結果、エンジン回転数ＮE とタービン回転数ＮT とが一定の差回転数をもった状態に維持される。そして、エンジン１の再始動が完了してドライブシャフトトルクが正のトルクに増大すると、すなわち車両としては駆動状態（力行状態）になると、発進クラッチ３の制御モードが係合制御モードに切り替わる（ｔ7 時点）。
【００４４】
比較のために従来の減速Ｓ＆Ｓ制御により各クラッチ３，１０の開放制御とエンジン停止制御とを行った場合の各回転数や指示圧などの変化を図６にタイムチャートで示してある。ここに示す例は、アクセル・オフ状態でブレーキ操作されて減速している例であり、アイドルオンフューエルカット（ＦＣ）制御が実行されている。その状態で車速が低下し、ロックアップクラッチ１０を次第に開放するべき下限回転数に達すると（ｔ11時点）、各クラッチ３，１０の指示圧がステップ的に低下し、ついで所定の勾配で低下させられる。
【００４５】
各クラッチ３，１０の伝達トルク容量が低下することによりエンジン回転数ＮE がタービン回転数ＮT に対して低下し、また車速Ｖがアイドルオンフューエルカット復帰回転数にまで低下すると、フューエルカット制御が中止されてエンジン１に対する燃料の供給が再開される（ｔ12時点）。そのため、ドライブシャフトトルクが増大し（負のトルクが低下し）、またエンジン回転数ＮE はアイドル回転数に低下する。
【００４６】
そして、車速Ｖが減速Ｓ＆Ｓ制御によるエンジン停止車速にまで低下すると（ｔ13時点）、点火時期の遅角制御が開始される。その点火時期が失火限界まで遅角されると、エコランフューエルカット（ＦＣ）制御が開始され、エンジン１への燃料の供給が停止されるので、エンジン回転数ＮE およびタービン回転数ＮT が急速に低下して「０」に到る。
【００４７】
前述したこの発明の制御装置による図５に示す例と、従来の制御による図６に示す例とを比較すると、エンジン１の停止時期はこの発明による制御によれば、大幅に前出しすることができる。また、この発明の制御装置によれば、エンジン１の停止が前出しされることに伴って発進クラッチ３の開放制御中にエンジン１の再始動要求が発生することがあるが、その場合には、スタータ起動ディレイ制御と発進クラッチ３の急開放制御とを実行するので、エンジン１の再始動の遅れを可及的に短縮できるとともに、エンジン１の再始動に伴うショックなどの違和感を回避することができる。
【００４８】
ここで、上記の具体例とこの発明との関係を簡単に説明すると、前述したステップＳ１０９の制御を実行する機能的手段が、この発明における低下指示手段に相当し、また上記のステップＳ３０４の制御を実行する機能的手段が、この発明における停止手段に相当し、さらに上記のステップＳ４０５の制御を実行する機能的手段が、この発明における急開放指示手段に相当し、またさらに上記のステップＳ４０４の制御を実行する機能的手段が、この発明における起動遅延手段に相当し、そして、上記のステップＳ１０２の制御を実行する機能的手段が、この発明における許可手段に相当する。
【００４９】
なお、この発明は上述した具体例に限定されないのであって、発進クラッチは油圧によって伝達トルク容量が変化させられるクラッチ以外に、電気的に伝達トルク容量が制御されるクラッチであってもよく、その場合、上記の油圧に替えて電流もしくは伝達トルク容量が制御の対象となる。また、この発明で対象とする車両は、ロックアップクラッチあるいはトルクコンバータを備えていない車両であってもよく、その場合は制御の対象となる発進クラッチ３は発進クラッチのみとなる。
【符号の説明】
【００５０】
１…エンジン、  １Ｓ…スタータモータ、  ２…トルクコンバータ、  ３…発進クラッチ、  ７…ポンプインペラー、  ８…タービン、  １０…ロックアップクラッチ、  １１…電子制御装置。
【図１】
2014069771.tif 000003
【図２】
2014069771.tif 000004
【図３】
2014069771.tif 000005
【図４】
2014069771.tif 000006
【図５】
2014069771.tif 000007
【図６】
2014069771.tif 000008
【図７】
2014069771.tif 000009